(57)【要約】【課題】保護シートを貼付した後の見栄えの悪化を低減させる技術を提供する。【解決手段】保護部材であって、基材層と、該基材層上に設けられた粘着層とを有する保護シートと、前記粘着層に貼着され、使用時に剥離される剥離シートと、を備え、前記剥離シートは、被保護部材の所定部分に対応する形状の切れ込みを有している。【選択図】図４
2015223785.tif 000002
【特許請求の範囲】
【請求項１】
保護部材であって、
基材層と、該基材層上に設けられた粘着層とを有する保護シートと、
前記粘着層に貼着され、使用時に剥離される剥離シートと、を備え、
前記剥離シートは、被保護部材の所定部分に対応する形状の切れ込みを有していることを特徴とする保護部材。
【請求項２】
請求項１に記載の保護部材において、
前記切れ込みの形状は、前記被保護部材の所定部分の形状と同様の形状であることを特徴とする保護部材。
【請求項３】
請求項１又は２に記載の保護部材において、
前記被保護部材は表示部を有する電子機器であり、前記切れ込みの形状は、該表示部の形状と同様の形状であることを特徴とする保護部材。
【請求項４】
請求項１ないし３のいずれか１項に記載の保護部材において、
前記切れ込みは、前記剥離シートの略中央部分に矩形状に設けられていることを特徴とする保護部材。
【請求項５】
請求項１ないし４のいずれか１項に記載の保護部材において、
前記剥離シートを保護シートから剥離した後においても、前記剥離シートの切れ込みで囲まれた部分は前記粘着層に貼着された状態で残ることを特徴とする保護部材。
【発明の詳細な説明】
【技術分野】
【０００１】
本発明は、主として電子機器のパネル等を保護する技術に関する。
【背景技術】
【０００２】
従来より、電子機器に設けられているパネルやディスプレイなどに傷や汚れがつくことを防止するために、パネル表面やディスプレイ表面に保護シートを貼着していた。このような保護シートは、基材と、基材上に粘着剤が塗布された粘着層とを有しており、この粘着層を保護対象のパネル等の表面に貼着させていた。また、使用前の保護シートは、粘着層にセパレータが貼り付けられていて、使用の際には、このセパレータを剥離して粘着層を露出させて使用していた。なお、本発明と関連する技術としては、例えば、特許文献１がある。
【先行技術文献】
【特許文献】
【０００３】
【特許文献１】特開2004-117790号公報
【発明の概要】
【発明が解決しようとする課題】
【０００４】
しかしながら、保護シートをパネル等の表面に貼着させる際には、慎重に操作しなければパネル等の表面と保護シートとの間に気泡が入りこんでしまったり、しわができてしまい、貼着後の見栄えが著しく悪くなる場合がある。特に表示機能を有するディスプレイ等の部分に気泡やしわが生じると、見栄えが悪くなるばかりか表示内容が見えない等の問題も発生してしまう。
【０００５】
本発明は、上記課題に鑑みてなされたものであり、保護シートを貼付した後の見栄えの悪化を低減させる技術を提供することを目的とする。
【課題を解決するための手段】
【０００６】
上記課題を解決するため、請求項１の発明は、保護部材であって、基材層と、該基材層上に設けられた粘着層とを有する保護シートと、前記粘着層に貼着され、使用時に剥離される剥離シートと、を備え、前記剥離シートは、被保護部材の所定部分に対応する形状の切れ込みを有している。
【０００７】
また、請求項２の発明は、請求項１に記載の保護部材において、前記切れ込みの形状は、前記被保護部材の所定部分の形状と同様の形状である。
【０００８】
また、請求項３の発明は、請求項１又は２に記載の保護部材において、前記被保護部材は表示部を有する電子機器であり、前記切れ込みの形状は、該表示部の形状と同様の形状である。
【０００９】
また、請求項４の発明は、請求項１ないし３のいずれか１項に記載の保護部材において、前記切れ込みは、前記剥離シートの略中央部分に矩形状に設けられている。
【００１０】
また、請求項５の発明は、請求項１ないし４のいずれか１項に記載の保護部材において、前記剥離シートを保護シートから剥離した後においても、前記剥離シートの切れ込みで囲まれた部分は前記粘着層に貼着された状態で残る。
【発明の効果】
【００１１】
請求項１ないし５の発明によれば、剥離シートには、被保護部材の所定部分に対応する形状の切れ込みが設けられているため、使用時に剥離シートを保護シートから剥離した際においても、被保護部材の所定部分に対応する形状の剥離シートが保護シート側に残る。このため、保護部材を被保護部材に貼着した場合であっても剥離シートの残った部分には気泡やしわが生じることがなく見栄えが悪くなることを防止することができる。
【００１２】
また、特に請求項２の発明によれば、切れ込みの形状が被保護部材の所定部分の形状と同様の形状であるため、特に被保護部材の特定の部分に気泡やしわが生じることを防止することができる。
【００１３】
また、特に請求項３の発明によれば、切れ込みの形状が表示部の形状と同様の形状であるため、表示部の部分に気泡やしわが生じることを防止できる。その結果、見栄えが悪くなることを防止できると共に、表示内容が見えなくなることも回避できる。
【００１４】
また、特に請求項４の発明によれば、剥離シートの中央部分を矩形状に残すことができるため、中央部分に気泡やしわが生じることを防止でき、見栄えが悪くなることを防止することができる。
【００１５】
また、特に請求項５の発明によれば、剥離シートの切れ込みで囲まれた部分が粘着層に貼着された状態で残るため、その部分に気泡やしわが生じることを防止でき、見栄えが悪くなることを防止することができる。
【図面の簡単な説明】
【００１６】
【図１】図１は、保護部材の使用状態の概要を示す図である。
【図２】図２は、前面パネルの概略構成を示す図である。
【図３】図３は、前面パネルの概略構成を示す図である。
【図４】図４は、保護部材の概略構成を示す図である。
【図５】図５は、保護部材の断面図である。
【図６】図６（ａ）は、保護シートの概略構成を示す図であり、図６（ｂ）は、剥離シートの概略構成を示す図である。
【図７】図７は、保護部材の概略構成を示す図である。
【図８】図８は、保護シートから剥離シートを剥離する構成を示す図である。
【図９】図９は、保護部材の断面図である。
【図１０】図１０（ａ）〜（ｃ）は、保護部材を前面パネルに貼着する工程を示す図である。
【発明を実施するための形態】
【００１７】
以下、図面を参照しつつ本発明の実施の形態について説明する。
【００１８】
＜１．実施の形態＞
図１は、本実施の形態の保護部材を使用した状態の一例を示す図である。図１に示すように、車両のインストルメントパネルの略中央部分には、表示装置１が設けられている。そして、本実施の形態では、この表示装置１の前面パネル２の表面に保護部材が貼着されている。保護部材は、車両がユーザの手元に届くまでの製造過程や配送過程における傷や汚れを防止するために、メーカー側で貼着するタイプのものや、ユーザが車両を購入した後に、使用に伴う傷や汚れを防止するために、ユーザ自身が貼着するタイプのものを含む。以下、具体的に説明する。
【００１９】
まず、保護部材を貼着する前面パネル２の構成について説明する。図２及び図３は、前面パネル２の正面部分の概略構成を示す図である。図２は正面図であり、図３は斜視図である。前面パネル２は、表示装置１の前面に取り付けられたパネルであり、インストルメントパネルの一部も構成している。本実施の形態における表示装置１としては、例えば、カーナビゲーション装置などの表示機能及び音声出力機能を備えた電子機器を用いることができる。
【００２０】
図２及び図３に示すように、前面パネル２は、窓部１０、操作部１１、及び開口部１２を備えている。窓部１０は、前面パネル２の一部を構成する透明な部分であり、表示装置１のディスプレイに対応した形状をしている。また、この窓部１０は、表示装置１のディスプレイに対応する位置に設けられている。つまり、前面パネル２が表示装置１に取り付けられた状態では、ユーザは、窓部１０を介してディスプレイに表示される映像を視認することができるようになっている。
【００２１】
また、操作部１１としては、ボリューム等を調整する回転式のつまみ１１ａや、機械式の（物理的な）ボタン１１ｂ、静電式の（タッチ式の）ボタン１１ｃなどが複数設けられている。これら各操作部１１は、表示装置１と機械的又は電気的に接続されており、ユーザが操作した際に、その操作内容が表示装置に伝えられるようになっている。
【００２２】
また、開口部１２は、ＣＤやＤＶＤ等のディスクを挿脱するための開口である。この開口部１２も表示装置に設けられた挿脱用の開口部に対応する位置に設けられている。
【００２３】
なお、本実施の形態の前面パネル２は、回転式のつまみ１１ａと機械式のボタン１１ｂは突出した構成を有しているが、窓部１０や静電式のボタン１１ｃを含むその他の表面部分は同一面状に構成されている。また、前面パネル２の表面は、完全な平面ではなく湾曲した形状を有している。具体的には、図３に示すように、前面パネル２の上下方向に凸型に湾曲していると共に、左右方向にも凸型に湾曲した曲面構造を有している。
【００２４】
このような前面パネル２に傷や汚れがつくことを防止するために、本実施の形態では前面パネル２に保護部材を貼着している。そこで、以下では保護部材について説明する。図４〜図７は、保護部材の概略を示す図である。
【００２５】
図４は、未使用状態（前面パネル２に貼着する前の状態）における保護部材２０の概略構成を示す図である。また、図５は、図４に示す保護部材２０のＡ−Ａ’線矢視断面図である。図５に示すように、保護部材２０は、保護シート２１と剥離シート２２とが貼着された構成を有している。
【００２６】
保護シート２１は、前面パネル２を傷や汚れから保護するシートであり、主として基材層２１ａと粘着層２１ｂとを有している。基材層２１ａは、保護部材２０を前面パネル２に貼着した状態で外部に露出する層である。すなわち、基材層２１ａは、実際に傷や汚れから保護する層ともいえる。また、粘着層２１ｂは、基材層２１ａ上に塗布された粘着剤からなる層である。すなわち、前面パネル２に貼着される層である。
【００２７】
基材層２１ａは、透明な樹脂を用いて作成される。保護部材２０が前面パネル２に貼着された状態においては、傷や汚れから保護するだけでなく、前面パネル２の窓部１０や操作部１１などが見えている必要があるためである。基材層２１ａに用いられる樹脂としては、傷や汚れから保護できる程度の強度や透明性、柔軟性などを有する樹脂であることが好ましい。このような樹脂としては、例えば、シリコン樹脂やオレフィン系樹脂、ＰＥＴ（polyethylene terephthalate）樹脂などを用いることができる。
【００２８】
また、粘着層２１ｂは、透明な粘着剤が塗布されて作成される。粘着層２１ｂに用いられる粘着剤としては、保護シート２１と剥離シート２２とを貼着させる際には密着性が高く、一方で剥離シート２２を剥がす際には簡単に剥がすことができるような粘着剤であることが好ましい。このような粘着剤としては、例えば、アクリル系粘着剤やシリコン系粘着剤を用いることができる。
【００２９】
剥離シート２２は、保護部材２０の未使用状態においては保護シート２１の粘着層２１ｂに貼着されていて、使用する際に剥離されるシートである。保護部材２０の未使用時に粘着層２１ｂが露出していると粘着力が低下してしまうので、これを防止するために、未使用状態においては剥離シート２２を保護シート２１に貼着させている。
【００３０】
また、本実施の形態においては、剥離シート２２に切れ込み２２ａが設けられている。これにより、保護シート２１から剥離シート２２を剥離した後においても、切れ込み２２ａで切り取られた剥離シート２２が粘着層２１ｂに貼着した状態で残るようになっている。つまり、保護部材２０は、剥離シート２２の一部が保護シート２１に貼着された状態で使用される。この切れ込み２２ａや保護部材２０の使用状態の詳細については後述する。
【００３１】
剥離シート２２も透明な樹脂を用いて作成される。剥離シート２２は、その一部が保護シート２１側に貼着された状態で使用されるため、剥離シート２２に用いられる樹脂としては、基材層２１ａと同様に透明性や柔軟性を有していることが好ましい。ただし、ほとんどの部分は剥がされて使用されることはないため、基材層２１ａほどの強度は不要である。このような樹脂としては、例えば、アルキル系樹脂やシリコン系樹脂を用いることができる。
【００３２】
図６（ａ）は保護シート２１の正面図であり、図６（ｂ）は剥離シート２２の正面図である。図６（ａ）に示すように、保護シート２１は、前面パネル２に貼着されるものであるため、その外形は前面パネル２の外形と同様である。また、保護シート２１は、前面パネル２に設けられている操作部１１や開口部１２に対応する部分に開口２３を有している。つまり、穴が開いている。
【００３３】
具体的には、保護シート２１には、回転式のつまみ１１ａや機械式のボタン１１ｂに対応する部分に、これらつまみ１１ａやボタン１１ｂの形状と同様の形状の開口２３が設けられている。これは、保護部材２０は前面パネル２の表面に貼着するものであるが、前面パネル２のつまみ１１ａやボタン１１ｂを使用するためにはこれらを保護シート２１から露出させる必要があるためである。
【００３４】
また、保護シート２１には、前面パネル２の開口部１２に対応する部分に同様の形状の開口２３が設けられている。これも同様に、前面パネル２の開口部１２を使用可能にするためである。これに対して、保護シート２１には、前面パネル２の静電式のボタン１１ｃに対応する部分には開口は設けられていない。静電式のボタン１１ｃは、保護シート２１の上からでも操作が可能だからである。
【００３５】
また、図６（ｂ）に示すように、剥離シート２２も、その外形は前面パネル２の外形と同様の外形である。ただし、剥離シート２２の外形はこれに限定されるものではない。剥離シート２２は、未使用時に保護シート２１に貼着されていればよく、少なくとも保護シート２１の全面を覆うことができる形状であればよい。また、剥離シート２２は、操作部１１及び開口部１２に対応する部分に開口を有していない。つまり、剥離シート２２には穴が開いていない。これは、操作部１１及び開口部１２に対応する部分は、使用時には剥離されて用いられないからである。
【００３６】
さらに、剥離シート２２には、切れ込み２２ａが設けられている。具体的には、剥離シート２２には、前面パネル２の窓部１０に対応した部分に、窓部１０と同様の形状の切れ込み２２ａが設けられている。本実施の形態では、窓部１０が矩形状であることから、剥離シート２２の切れ込み２２ａも矩形状である。これにより、剥離シート２２を保護シート２１から剥離した際に、切れ込み２２ａ部分が切れて矩形状の部分（以下「矩形状部分」という。）が粘着層２１ｂに粘着したまま保護シート２１側に残るようになる。
【００３７】
このように、剥離シート２２には、被保護部材である前面パネル２の所定部分に対応する形状の切れ込み２２ａが設けられている。すなわち、上述のように、剥離シート２２には、前面パネル２の窓部１０に対応する形状の切れ込み２２ａが設けられているが、窓部１０は表示装置１のディスプレイに対応しているものであるため、表示装置１のディスプレイに対応する形状の切れ込み２２ａが設けられていると言うこともできる。
【００３８】
また、剥離シート２２は、その角にも切れ込み２２ａが設けられている。切れ込み２２ａが設けられている角は、剥離シート２２の４つの角のうちの任意の１つの角である。角の切れ込み２２ａは、その角を構成する２辺を結び、その角を含む２辺と切れ込み２２ａとで三角形を形成するように設けられている。これにより、剥離シート２２を保護シート２１から剥離した際に、切れ込み２２ａ部分が切れて三角形状の部分（以下「三角形状部分」という。）が粘着層２１ｂに貼着したまま保護シート２１側に残るようになる。
【００３９】
そして、図７に示すように、保護シート２１及び剥離シート２２を位置決めしながら重ね合わせて貼着することで、図４に示すような切れ込みの入った未使用状態の保護部材２０を作成することができる。
【００４０】
なお、上記では、予め剥離シート２２に切れ込み２２ａを入れておき、その剥離シート２２と保護シート２１とを貼着して保護部材２０を作成する方法について説明したがこれに限定されるものではない。例えば、切れ込みのない剥離シートを保護シートに貼着した後に、いわゆるハーフカット等の手法を用いて被保護部材の所定部分に対応する形状の切れ込みを入れてもよい。
【００４１】
次に、保護部材２０を前面パネル２に貼着させる内容（使用状態）について説明する。図８は、保護シート２１から剥離シート２２を剥離している状態を示す図である。また、図９は、図８におけるＢ−Ｂ’線矢視断面図である。
【００４２】
図８及び図９に示すように、保護シート２１に貼着されていた剥離シート２２を剥がす過程において、剥離シート２２の中央部分と角に設けられていた切れ込み２２ａが切れて、矩形状部分２２ｂと三角形状部分２２ｃとが保護シート２１側に貼着されたまま残っている。つまり、保護シート２１の中央部分と１つの角は、剥離シート２２を剥離した後においても保護シート２１と剥離シート２２とが積層された構造を有している。これに対して、その他の部分は剥離シート２２が剥がされて粘着層２１ｂが露出している。
【００４３】
そして、このようにして一部に剥離シート２２を残したまま粘着層２１ｂを露出させた保護シート２１（保護部材２０）を前面パネル２の表面に貼りあわせる。図１０は、このような保護部材２０を前面パネル２に貼着させる工程を示す図であり、図９と同じ位置から見た断面図である。
【００４４】
図１０（ａ）に示すように、保護部材２０の剥離シート２２側の面（粘着層２１ｂ側の面）を前面パネル２に向けて接近させる。そして、図１０（ｂ）に示すように、保護シート２１に貼着されたままの剥離シート２２の矩形状部分２２ｂと前面パネル２の窓部１０との位置が合うように、保護部材２０を前面パネル２の表面に接触させる。換言すれば、剥離シート２２の矩形状部分２２ｂと表示装置１のディスプレイ３との位置が合うように接触させる。この場合、保護シート２１上に残された剥離シート２２のみが前面パネル２と接触し、粘着層２１ｂは接触しない。剥離シート２２の表面には粘着剤が塗布されていないので、この時点では保護シート２１は前面パネル２に貼着されていない。
【００４５】
そして、図１０（ｃ）に示すように、前面パネル２に接触していない保護シート２１を前面パネル２に接触させる。これにより、粘着層２１ｂが前面パネル２と接触して保護シート２１が貼着される。つまり、矩形状部分２２ｂ及び三角形状部分２２ｃの部分は前面パネル２に貼着しておらず、それ以外の部分が前面パネル２に張り付いた状態になっている。
【００４６】
このように、剥離シート２２の中央部分を窓部１０（ディスプレイ３）と同様の形状で残すことにより、矩形状部分２２ｂの位置と窓部１０の位置とを合わせるようにして貼りあわせればよいため、保護シート２１を貼着する際の位置決めが容易になる。特に、矩形状部分２２ｂは前面パネル２と貼着しないので、この矩形状部分２２ｂを前面パネル２上（特に窓部１０上）で移動させながら位置合わせをすることができ、位置決めを容易にすることができる。
【００４７】
また、上述のように、本実施の形態の前面パネル２は、その表面が完全な平面ではなく湾曲した構成を有している。このため、平面状の保護シート２１をそのまま前面パネル２に貼着すると、湾曲した前面パネル２の形状と平面状の保護シート２１の形状とが合わずに保護シート２１が浮いてしまい、気泡やしわがより一層生じやすくなる。
【００４８】
しかしながら、本実施の形態では、保護部材２０を前面パネル２に貼着しても剥離シート２２が残された矩形状部分２２ｂには気泡やしわが生じ難い構成となっている。これは、気泡やしわは、貼着する部分としない部分が近接又は連続することでムラができることにより生じるものであるため、主に粘着剤によって貼着した部分に生じる。これに対して、本実施の形態の剥離シート２２には粘着剤が塗布されていないため、矩形状部分２２ｂは前面パネル２とは貼着しておらず、前述の貼着によるムラができないからである。
【００４９】
すなわち、本実施の形態では、被保護部材である前面パネル２の窓部１０と同様の形状（つまり、ディスプレイ３と同様の形状）の切れ込み２２ａを入れて剥離シート２２を残しているため、前面パネル２が曲面状であってもディスプレイ３に対応する部分に気泡やしわが生じることを防止することができる。その結果、見栄えが悪くなることを防止でき、かつ、表示内容が見えなくなることも防止できる。
【００５０】
また、上述のように、剥離シート２２の角にも切れ込み２２ａを入れ、三角形状部分２２ｃを残すようにしている。これにより、三角形状部分２２ｃも前面パネル２には貼着しない構成となっている。このため、ユーザが前面パネル２に貼着している保護部材２０を剥がす際には、この貼着していない三角形状部分２２ｃから剥がすことによって保護部材２０を容易に剥がすことが可能になる。
【００５１】
＜２．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００５２】
上記実施の形態では、保護シート及び剥離シートについて説明したが、本発明では保護フィルムや剥離フィルム等、シート状のものやフィルム状のもののいずれであっても適用可能である。
【００５３】
また、上記実施の形態では、保護シートに塗布した粘着剤を用いて剥離シートや前面パネルと貼着した構成について説明したがこれに限定されるものではない。保護シートを貼り付けることができ、また容易に剥がすことも可能な方法であれば他の方法でもよい。例えば、静電気等による吸着によって保護部材を貼り付けてもよい。
【００５４】
また、上記実施の形態では、剥離シートの中央部分に前面パネルの窓部（ディスプレイ）と同様の形状の切れ込みを入れる構成について説明したがこれに限定されるものではない。例えば、前面パネルの湾曲形状を考慮して、貼着した後に窓部（ディスプレイ）と同様の形状となるように、例えば台形状に切れ込みを入れてもよい。
【符号の説明】
【００５５】
１    表示装置
２    前面パネル
３    ディスプレイ
１０    窓部
１１    操作部
１２    開口部
２０    保護部材
２１    保護シート
２１ａ    基材層
２１ｂ    粘着層
２２    剥離シート
２２ａ    切れ込み
【図１】
2015223785.tif 000003
【図２】
2015223785.tif 000004
【図３】
2015223785.tif 000005
【図４】
2015223785.tif 000006
【図５】
2015223785.tif 000007
【図６】
2015223785.tif 000008
【図７】
2015223785.tif 000009
【図８】
2015223785.tif 000010
【図９】
2015223785.tif 000011
【図１０】
2015223785.tif 000012